(57)【要約】【課題】プラテンリリースレバーを操作し、プラテンローラを取り外す際には、容易にプラテンローラを取り外すことができるプリンタ装置を提供する。【解決手段】記録紙に印字を行うプリントヘッドと、前記プリントヘッドとの間に前記記録紙を挟み、前記記録紙を搬送するプラテンローラと、前記プリントヘッド及び前記プラテンローラが設置されるフレームと、前記プラテンローラを外すリリースレバーと、前記フレームと前記プリントヘッドとの間に設けられ、前記プリントヘッドを前記プラテンローラに向けて付勢するバネと、を有し、前記プラテンローラが設置されている状態においては、前記フレームの側面に形成されたフレーム溝及び前記リリースレバーにより支持されており、前記リリースレバーを動かすことにより、前記フレーム溝が開放され、前記バネが前記プリントヘッドを付勢する方向に前記フレーム溝が開いていることを特徴とするプリンタ装置を提供することにより上記課題を解決する。【選択図】  図９
2016016566.tif 000002
【特許請求の範囲】
【請求項１】
記録紙に印字を行うプリントヘッドと、
前記プリントヘッドとの間に前記記録紙を挟み、前記記録紙を搬送するプラテンローラと、
前記プリントヘッド及び前記プラテンローラが設置されるフレームと、
前記プラテンローラを外すリリースレバーと、
前記フレームと前記プリントヘッドとの間に設けられ、前記プリントヘッドを前記プラテンローラに向けて付勢するバネと、
を有し、
前記プラテンローラが設置されている状態においては、前記フレームの側面に形成されたフレーム溝及び前記リリースレバーにより支持されており、
前記リリースレバーを動かすことにより、前記フレーム溝が開放され、
前記バネが前記プリントヘッドを付勢する方向に前記フレーム溝が開いていることを特徴とするプリンタ装置。
【請求項２】
前記リリースレバーは、前記プラテンローラの軸方向を回動中心として回動するものであることを特徴とする請求項１に記載のプリンタ装置。
【請求項３】
前記フレームには、前記プラテンローラを押し上げるプラテンローラ押し上げ部材が回転可能な状態で接続されており、
前記リリースレバーを動かすことにより、前記リリースレバーの動きに伴いプラテンローラ押し上げ部材が回転し、前記プラテンローラを押し上げることを特徴とする請求項２に記載のプリンタ装置。
【請求項４】
前記リリースレバーの側面には、押出部が形成されているレバー溝が設けられており、
前記プラテンローラが設置されている状態においては、前記プラテンローラは前記フレーム溝と前記レバー溝に入れられており、
前記リリースレバーを動かすことにより、前記押出部が前記プラテンローラを押すことを特徴とする請求項２に記載のプリンタ装置。
【請求項５】
記録紙に印字を行うプリントヘッドと、
前記プリントヘッドとの間に前記記録紙を挟み、前記記録紙を搬送するプラテンローラと、
前記プリントヘッド及び前記プラテンローラが設置されるフレームと、
前記プラテンローラを外すリリースレバーと、
を有し、
前記プラテンローラが設置されている状態においては、前記フレームの側面に形成されたフレーム溝及び前記リリースレバーにより支持されており、
前記リリースレバーを前記フレームに対しスライドして動かすことにより、前記フレーム溝が開放され前記プラテンローラを外すことができるものであることを特徴とするプリンタ装置。
【請求項６】
前記フレームと前記プリントヘッドとの間に設けられ、前記プリントヘッドを前記プラテンローラに向けて付勢するバネを更に有し、
前記バネの付勢力の働く方向と、前記リリースレバーがスライドする方向は、異なる方向であることを特徴とする請求項５に記載のプリンタ装置。
【請求項７】
前記バネの付勢力の働く方向と、前記リリースレバーがスライドする方向とは、略垂直であることを特徴とする請求項６に記載のプリンタ装置。
【請求項８】
前記フレーム溝の内側には、板バネが設置されており、
前記リリースレバーを前記フレームに対しスライドして動かすことにより、前記リリースレバーの一部が前記板バネの端部と接触して前記板バネを引っ張り、前記板バネが伸びることにより、前記フレーム溝より、前記プラテンローラが外れることを特徴とする請求項５に記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。レシート等を発行するプリンタは、プラテンローラとサーマルヘッドとの間に挟まれた記録紙となる感熱紙をプラテンローラを回転させることにより搬送しながら、サーマルヘッドにより記録紙に印字等を行う。印字のなされた記録紙は、カッターにより所定の長さで切断される。カッターでは、固定刃と可動刃とを有しており、可動刃が固定刃が設けられている側に動くことにより、固定刃と可動刃との間に挟まれた記録紙が切断される。
【先行技術文献】
【特許文献】
【０００３】
【特許文献１】特開２００３−１９８４５号公報
【発明の概要】
【発明が解決しようとする課題】
【０００４】
ところで、このようなサーマルヘッドを用いたプリンタ装置においては、メンテナンスやロール状に巻かれた記録紙を補充する際に、サーマルヘッドからプラテンローラが離される。
【０００５】
通常、プラテンローラは、プリンタ装置のフレームのフレーム側面とプラテンローラを取り外すためのプラテンリリースレバーのレバー側面により支持されており、プラテンリリースレバーを動かすことにより、プラテンローラを取り外すことができる。この際、プラテンローラを容易に取り外すことができないと、メンテナンスや記録紙を補充する際に支障となり、プリンタ装置を使用する際に手間がかかり、使い勝手が悪くなるため、好ましくない。
【０００６】
よって、プラテンリリースレバーを操作して、プラテンローラを取り外す際には、容易にプラテンローラを取り外すことのできるプリンタ装置が求められている。
【課題を解決するための手段】
【０００７】
本実施の形態の一観点によれば、記録紙に印字を行うプリントヘッドと、前記プリントヘッドとの間に前記記録紙を挟み、前記記録紙を搬送するプラテンローラと、前記プリントヘッド及び前記プラテンローラが設置されるフレームと、前記プラテンローラを外すリリースレバーと、前記フレームと前記プリントヘッドとの間に設けられ、前記プリントヘッドを前記プラテンローラに向けて付勢するバネと、を有し、前記プラテンローラが設置されている状態においては、前記フレームの側面に形成されたフレーム溝及び前記リリースレバーにより支持されており、前記リリースレバーを動かすことにより、前記フレーム溝が開放され、前記バネが前記プリントヘッドを付勢する方向に前記フレーム溝が開いていることを特徴とする。
【発明の効果】
【０００８】
本発明によれば、プリンタ装置において、プラテンリリースレバーを操作して、プラテンローラを取り外す際には、容易にプラテンローラを取り外すことができる。
【図面の簡単な説明】
【０００９】
【図１】プリンタ装置の斜視図
【図２】プリンタ装置におけるプラテンローラの説明図
【図３】プリンタ装置の説明図（１）
【図４】プリンタ装置の説明図（２）
【図５】プリンタ装置の説明図（３）
【図６】プリンタ装置の説明図（４）
【図７】第１の実施の形態におけるプリンタ装置の斜視図
【図８】第１の実施の形態のプリンタ装置におけるプラテンローラの説明図
【図９】第１の実施の形態におけるプリンタ装置の説明図（１）
【図１０】第１の実施の形態におけるプリンタ装置の説明図（２）
【図１１】第１の実施の形態におけるプリンタ装置の説明図（３）
【図１２】第１の実施の形態におけるプリンタ装置の説明図（４）
【図１３】第２の実施の形態におけるプリンタ装置の説明図（１）
【図１４】第２の実施の形態におけるプリンタ装置の説明図（２）
【図１５】第２の実施の形態におけるプリンタ装置の説明図（３）
【図１６】第２の実施の形態におけるプリンタ装置の説明図（４）
【図１７】第２の実施の形態におけるプリンタ装置の説明図（５）
【図１８】第３の実施の形態におけるプリンタ装置の斜視図
【図１９】第３の実施の形態におけるプリンタ装置の説明図（１）
【図２０】第３の実施の形態におけるプリンタ装置の説明図（２）
【図２１】第３の実施の形態におけるプリンタ装置の説明図（３）
【図２２】第３の実施の形態におけるプリンタ装置の説明図（４）
【図２３】第３の実施の形態におけるプリンタ装置の説明図（５）
【図２４】第４の実施の形態におけるプリンタ装置の説明図（１）
【図２５】第４の実施の形態におけるプリンタ装置の説明図（２）
【図２６】第４の実施の形態におけるプリンタ装置の説明図（３）
【図２７】第４の実施の形態におけるプリンタ装置の説明図（４）
【図２８】第４の実施の形態におけるプリンタ装置の説明図（５）
【図２９】第４の実施の形態におけるプリンタ装置の説明図（６）
【図３０】第４の実施の形態におけるプリンタ装置の説明図（７）
【図３１】第５の実施の形態におけるプリンタ装置の説明図（１）
【図３２】第５の実施の形態におけるプリンタ装置の説明図（２）
【発明を実施するための形態】
【００１０】
本発明を実施するための形態について、以下に説明する。尚、同じ部材等については、同一の符号を付して説明を省略する。
【００１１】
〔第１の実施の形態〕
最初に、従来の構造のサーマルヘッドを用いたプリンタ装置について、図１から図６に基づき説明する。このプリンタ装置は、図１に示されるように、サーマルヘッド９１０とプラテンローラ９２０とを有しており、サーマルヘッド９１０とプラテンローラ９２０との間に挟まれた不図示の記録紙をプラテンローラ９２０の回転により搬送しながら、サーマルヘッド９１０により印字を行うものである。
【００１２】
プラテンローラ９２０は、図２に示されるように、プラテンローラ９２０におけるローラ部９２１の両側にプラテンシャフト９２２が設けられており、プラテンシャフト９２２には、プラテンキャップ９２３が被せられている。また、プラテンローラ９２０の一方の側のプラテンシャフト９２２には、ギア９２４が接続されている。このプリンタ装置においては、サーマルヘッド９１０により印字がなされる際には、不図示の搬送用モータの回転が、プラテンローラ９２０におけるギア９２４に伝達され、ギア９２４が回転することにより、プラテンローラ９２０により不図示の記録紙を搬送しながら、サーマルヘッド９１０による印字がなされる。尚、図２（ａ）は、プラテンローラ９２０の斜視図であり、図２（ｂ）は、プラテンローラ９２０の分解斜視図である。
【００１３】
フレーム９３０は、図３に示されるように、両側にフレーム側面９３１を有しており、フレーム側面９３１にはプラテンローラ９２０を設置するためのフレーム溝９３２が設けられている。また、フレーム側面９３１には、後述する回転軸９５１を入れるための開口穴９３３が設けられている。尚、図３（ａ）はフレーム９３０の側面図であり、図３（ｂ）は斜視図である。
【００１４】
リリースレバー９４０は、図４に示されるように、両側にレバー側面９４１を有しており、レバー側面９４１にはプラテンローラ９２０を設置するためのレバー溝９４２が設けられている。リリースレバー９４０は、図５及び図６に示されるように、回転軸９５１を中心に回転することができる状態で、フレーム９３０に接続されており、レバー操作部９４３に被せられているレバーキャップ９４５を押し下げることにより、回転軸９５１を中心に回転させることができる。リリースレバー９４０には、回転軸９５１を入れるための開口穴９４４が設けられている。尚、図４（ａ）はリリースレバー９４０の側面図であり、図４（ｂ）は斜視図である。
【００１５】
このプリンタ装置においては、プラテンローラ９２０のプラテンキャップ９２３が、フレーム９３０のフレーム側面９３１におけるフレーム溝９３２とリリースレバー９４０のレバー側面９４１におけるレバー溝９４２とに入れられており、所定の位置に回転可能な状態で設置されている。
【００１６】
回転軸９５１の周囲には、ねじりコイルバネ９５２が設けられており、ねじりコイルバネ９５２の一方の端部９５２ａは、フレーム９３０におけるフレーム側面９３１に接続されており、他方の端部９５２ｂはリリースレバー９４０に接続されている。従って、リリースレバー９４０のレバーキャップ９４５を下に押し下げた場合には、リリースレバー９４０は、回転軸９５１を中心に回転するが、レバーキャップ９４５を押し下げている力がなくなると、ねじりコイルバネ９５２の復元力により、リリースレバー９４０が元の状態に戻る。
【００１７】
また、図６に示されるように、サーマルヘッド９１０とフレーム９３０との間には、コイルバネ９６０が設置されており、サーマルヘッド９１０は、コイルバネ９６０の復元力により、プラテンローラ９２０が設置されている方向に押されている。
【００１８】
フレーム溝９３２は、Ｕ字状に形成されており、サーマルヘッド９１０が設けられている側の支持部９３２ａと、サーマルヘッド９１０が設けられている側とは反対側、即ち、支持部９３２ａに対向する側の支持部９３２ｂとを有している。フレーム溝９３２は、コイルバネ９６０の復元力の働く方向と略垂直な方向に開いており、プラテンローラ９２０におけるプラテンキャップ９２３は、支持部９３２ａと支持部９３２ｂとの間のフレーム溝９３２に入れられている。
【００１９】
また、図４等に示されるように、レバー溝９４２も、略Ｕ字状に形成されており、サーマルヘッド９１０が設けられている側の支持部９４２ａと、サーマルヘッド９１０が設けられている側とは反対側、即ち、支持部９４２ａに対向する側の支持部９４２ｂとを有しており、プラテンローラ９２０におけるプラテンキャップ９２３は、支持部９４２ａと支持部９４２ｂとの間のレバー溝９４２に入っている。このプリンタ装置においては、フレーム溝９３２に入れられているプラテンローラ９２０におけるプラテンキャップ９２３が、支持部９４２ｂにより上から覆うように押さえているため、プラテンローラ９２０が、フレーム溝９３２から抜けることなく、所定の位置に設置することができる。
【００２０】
このようなプリンタ装置において、レバーキャップ９４５を押し下げることにより、リリースレバー９４０を回転軸９５１に回転させ、プラテンローラ９２０におけるプラテンキャップ９２３を上から覆っていたレバー側面９４１における支持部９４２ｂが動き、フレーム溝９３２の上部が解放される。このように、レバー側面９４１における支持部９４２ｂが動き、フレーム溝９３２の上部が解放され、プラテンローラ９２０を取り外すことが可能にはなるものの、コイルバネ９６０の復元力の働く方向と、プラテンローラ９２０の外される方向とは、略直角であるため、フレーム溝９３２よりプラテンローラ９２０を取り外す際に、時間や手間を要し、使い勝手が悪い。
【００２１】
（プリンタ装置）
次に、第１の実施の形態におけるプリンタ装置について、図７から図１２に基づき説明する。本実施の形態におけるプリンタ装置は、図７に示されるように、プリントヘッドであるサーマルヘッド１０とプラテンローラ２０とを有しており、サーマルヘッド１０とプラテンローラ２０との間に挟まれた不図示の記録紙をプラテンローラ２０の回転により搬送しながら、サーマルヘッド１０により印字を行うものである。
【００２２】
プラテンローラ２０は、図８に示されるように、プラテンローラ２０におけるローラ部２１の両側にプラテンシャフト２２が設けられており、プラテンシャフト２２には、プラテンキャップ２３が被せられている。また、プラテンローラ２０の一方の側のプラテンシャフト２２には、ギア２４が接続されている。このプリンタ装置においては、サーマルヘッド１０により印字がなされる際には、不図示の搬送用モータの回転がギア２４に伝達され、ギア２４が回転することによりプラテンローラ２０により不図示の記録紙を搬送しながら、サーマルヘッド１０による印字がなされる。尚、図８（ａ）は、プラテンローラ２０の斜視図であり、図８（ｂ）は、プラテンローラ２０の分解斜視図である。
【００２３】
フレーム３０は両側にフレーム側面３１を有しており、図９に示されるように、フレーム側面３１にはプラテンローラ２０を設置するためのフレーム溝３２が設けられている。また、フレーム側面３１には、後述する回転軸部５１を入れるための開口穴３３が設けられている。
【００２４】
リリースレバー４０は、図１１に示されるように、両側にレバー側面４１を有しており、レバー側面４１にはプラテンローラ２０を設置するためのレバー溝４６が設けられている。リリースレバー４０は、回転軸部５１を中心に回転することができる状態でフレーム３０に接続されており、図１２に示すように、レバー操作部４３に被せられているレバーキャップ４５を押し下げることにより、回転軸部５１を中心に回転させることができる。リリースレバー４０には、また、回転軸部５１を入れるための開口穴が設けられている。
【００２５】
回転軸部５１の周囲にはねじりコイルバネ５２が設けられている。ねじりコイルバネ５２の一方の端部５２ａはフレーム３０に接続されており、他方の端部５２ｂはリリースレバー４０に接続されている。従って、リリースレバー４０のレバーキャップ４５を押し下げている場合には、リリースレバー４０は回転軸部５１を中心に回転するが、レバーキャップ４５を押し下げている力がなくなると、ねじりコイルバネ５２の復元力によりリリースレバー４０が元の状態に戻る。
【００２６】
また、図７に示すように、サーマルヘッド１０とフレーム３０との間にはコイルバネ６０が設置されている。サーマルヘッド１０は、コイルバネ６０の復元力により、プラテンローラ２０が設置されている方向に押されている。
【００２７】
本実施の形態におけるプリンタ装置においては、プラテンローラ２０におけるプラテンキャップ２３がフレーム側面３１に設けられたフレーム溝３２に入れられた状態で、リリースレバー４０におけるレバー側面４１に設けられた支持部４２により支持されることにより、プラテンローラが設置されている。
【００２８】
図９等に示されるように、フレーム溝３２はＵ字状に形成されており、上側の支持部３２ａと、下側、即ち支持部３２ａに対向する側の支持部３２ｂとを有している。フレーム溝３２は、コイルバネ６０の復元力の働く方向に開いており、プラテンキャップ２３は支持部３２ａと支持部３２ｂとの間のフレーム溝３２に入れられている。
【００２９】
また、リリースレバー４０におけるレバー側面４１に設けられた支持部４２は、サーマルヘッド１０が設けられている側とは反対側においてプラテンキャップ２３を支持している。即ち、プラテンキャップ２３は、コイルバネ６０の復元力に抗して、支持部４２により支持されている。
【００３０】
本実施の形態においては、プラテンキャップ２３は、コイルバネ６０の復元力が働く方向と垂直な方向においては、フレーム溝３２における支持部３２ａと支持部３２ｂにより支持されている。また、コイルバネ６０の復元力が働く方向においては、リリースレバー４０の支持部４２により支持されている。これにより、プラテンローラ２０をフレーム溝３２から抜けることなく、所定の位置となるように設置することができる。
【００３１】
本実施の形態におけるプリンタ装置においては、図１２に示すように、レバーキャップ４５を押し下げることにより、リリースレバー４０が回転軸部５１を中心に回転し、レバー側面４１における支持部４２が動き、フレーム溝３２のコイルバネ６０の復元力の働く方向が解放される。即ち、リリースレバー４０が回転軸部５１を中心に回転することにより、プラテンキャップ２３をコイルバネ６０の復元力の働く方向において支持していたレバー側面４１の支持部４２が動き、フレーム溝３２のコイルバネ６０の復元力の働く方向が解放されるため、コイルバネ６０の復元力によりプラテンローラ２０が押され、フレーム溝３２よりプラテンローラ２０を容易に取り外すことができる。
【００３２】
〔第２の実施の形態〕
次に、第２の実施の形態について説明する。本実施の形態は、リリースレバーがフレームに対してスライドして動く構造のものである。本実施の形態におけるプリンタ装置について、図１３から図１７に基づき説明する。
【００３３】
フレーム１３０は両側にフレーム側面１３１を有しており、図１３及び図１４に示されるようにフレーム側面１３１にはプラテンローラ２０を設置するためのフレーム溝１３２が設けられている。また、フレーム側面１３１には、後述するバネ用突起１５１を入れるための開口穴１３３が設けられている。また、フレーム側面１３１には、２つの突起１３５ａ、１３５ｂが設けられている。
【００３４】
リリースレバー１４０は両側にレバー側面１４１を有しており、図１５及び図１６に示されるようにレバー側面１４１にはプラテンローラ２０を支持するための支持部１４２が設けられている。また、リリースレバー１４０におけるレバー側面１４１には、フレーム側面１３１における２つの突起１３５ａ、１３５ｂに対応した細長い開口１４６ａ、１４６ｂが設けられている。
【００３５】
本実施の形態においては、フレーム側面１３１における突起部１３５ａはリリースレバー１４０における開口部１４６ａに入っており、開口部１４６ａ内を自由に移動することができる。同様に、フレーム側面１３１における突起部１３５ｂは、リリースレバー１４０における開口部１４６ｂに入っており、開口部１４６ｂ内を自由に移動することができる。
【００３６】
従って、本実施の形態におけるプリンタ装置においては、フレーム１３０に対し、リリースレバー１４０をスライドして図示上下方向に移動させることができる。尚、リリースレバー１４０は、コイルバネの復元力の働く方向に対し垂直方向にスライドするものであることが好ましい。リリースレバー１４０のスライド操作は、リリースレバー１４０のレバー操作部に被せられたレバーキャップ１４５を押し下げることにより行う。
【００３７】
また、フレーム１３０におけるフレーム側面１３１には、バネ用突起１５１が設けられており、ねじりコイルバネ１５２の中心部分がバネ用突起１５１に入れられ設置されている。ねじりコイルバネ１５２の一方の端部１５２ａはフレーム１３０に接続されており、他方の端部１５２ｂはリリースレバー１４０に接続されている。従って、リリースレバー１４０のレバーキャップ１４５を押し下げた場合には、リリースレバー１４０はスライドして下方向に移動するが、レバーキャップ１４５を押し下げている力がなくなると、ねじりコイルバネ１５２の復元力により、リリースレバー１４０が上方向にスライドして元の状態に戻る。
【００３８】
また、本実施の形態においては、サーマルヘッド１０とフレーム１３０との間には、不図示のバネが設置されており、サーマルヘッド１０は、バネの復元力により、プラテンローラ２０が設置されている方向に押されている。
【００３９】
本実施の形態におけるプリンタ装置においては、プラテンキャップ２３がフレーム側面１３１に設けられたフレーム溝１３２に入れられた状態で、リリースレバー１４０におけるレバー側面１４１に設けられた支持部１４２により支持されることにより、プラテンローラ２０が所定の位置に回転可能な状態で設置されている。
【００４０】
フレーム溝１３２は、図１３等に示されるように、Ｕ字状に形成されており、上側の支持部１３２ａと、下側、即ち、支持部１３２ａに対向する側の支持部１３２ｂとを有している。フレーム溝１３２は、不図示のバネの復元力の働く方向に開いており、プラテンキャップ２３は、支持部１３２ａと支持部１３２ｂとの間のフレーム溝１３２に入れられている。
【００４１】
また、リリースレバー１４０におけるレバー側面１４１に設けられた支持部１４２は、サーマルヘッド１０が設けられている側とは反対側においてプラテンキャップ２３を支持するように形成されている。即ち、プラテンキャップ２３は、不図示のバネの復元力に抗して支持部１４２により支持されている。
【００４２】
本実施の形態においては、プラテンキャップ２３は、不図示のバネの復元力が働く方向と垂直な方向においてはフレーム溝１３２における支持部１３２ａと支持部１３２ｂにより支持されている。また、不図示のバネの復元力が働く方向においては、プラテンキャップ２３は支持部１４２により支持されている。これにより、プラテンローラ２０をフレーム溝３２から抜けることなく、所定の位置となるように設置することができる。
【００４３】
本実施の形態におけるプリンタ装置においては、図１７に示すように、レバーキャップ１４５を押し下げることにより、リリースレバー１４０がフレーム１３０に対してスライドして動き、フレーム溝１３２のバネの復元力の働く方向が解放される。即ち、リリースレバー１４０をスライドさせることにより、プラテンキャップ２３を不図示のバネの復元力の働く方向において支持していた支持部１４２が動き、フレーム溝１３２の不図示のバネの復元力の働く方向が解放されるため、コイルバネの復元力によりプラテンローラ２０が押され、フレーム溝１３２よりプラテンローラ２０を容易に取り外すことができる。
【００４４】
尚、上記以外の内容については、第１の実施の形態と同様である。
【００４５】
〔第３の実施の形態〕
次に、第３の実施の形態におけるプリンタ装置について、図１８から図２３に基づき説明する。本実施の形態におけるプリンタ装置は、図１８に示されるように、サーマルヘッド１０とプラテンローラ２０とを有しており、サーマルヘッド１０とプラテンローラ２０との間に挟まれた不図示の記録紙をプラテンローラ２０が回転することにより搬送しながら、サーマルヘッド１０により印字を行うものである。
【００４６】
フレーム２３０は両側にフレーム側面２３１を有しており、図１９に示されるようにフレーム側面２３１にはプラテンローラ２０を設置するためのフレーム溝２３２が設けられている。また、フレーム側面２３１には、後述する回転軸部５１を入れるための開口穴２３３が設けられている。
【００４７】
リリースレバー２４０は両側にレバー側面２４１を有しており、図２０に示されるようにレバー側面２４１にはプラテンローラ２０を支持するための支持部２４２が設けられている。リリースレバー２４０は、回転軸部５１を中心に回転することができる状態でフレーム２３０に接続されており、図２３に示すように、レバー操作部に被されているレバーキャップ２４５を押し下げることにより、回転軸部５１を中心に回転させることができる。尚、リリースレバー２４０には、回転軸部５１を入れるための開口穴が設けられている。
【００４８】
回転軸部５１の周囲にはねじりコイルバネ５２が設けられている。ねじりコイルバネ５２の一方の端部５２ａはフレーム２３０に接続されており、他方の端部５２ｂはリリースレバー２４０に接続されている。従って、リリースレバー２４０のレバーキャップ２４５を押し下げた場合には、リリースレバー２４０は回転軸部５１を中心に回転するが、レバーキャップ２４５を押し下げている力がなくなると、ねじりコイルバネ５２の復元力により、リリースレバー２４０が元の状態に戻る。
【００４９】
また、図１８に示すように、サーマルヘッド１０とフレーム２３０との間にはコイルバネ６０が設置されており、サーマルヘッド１０はコイルバネ６０の復元力によりプラテンローラ２０が設置されている方向に押されている。
【００５０】
本実施の形態におけるプリンタ装置においては、プラテンキャップ２３がフレーム側面２３１に設けられたフレーム溝２３２に入れられた状態で、レバー側面２４１に設けられた支持部２４２により支持されることにより、プラテンローラ２０が所定の位置に回転可能な状態で設置されている。
【００５１】
フレーム溝２３２は、プラテンキャップ２３の下側を支持する支持部２３２ａと、サーマルヘッド１０側を支持する支持部２３２ｂとを有している。フレーム溝２３２は、上側及びコイルバネ６０の復元力の働く方向が開いており、プラテンキャップ２３は支持部２３２ａと支持部２３２ｂとにより支持されている。
【００５２】
また、レバー側面２４１に設けられた支持部２４２は、サーマルヘッド１０が設けられている側とは反対側においてプラテンキャップ２３を支持するように形成されている。即ち、プラテンローラ２０におけるプラテンキャップ２３は、コイルバネ６０の復元力に抗して、支持部２４２により支持されている。
【００５３】
本実施の形態においては、プラテンキャップ２３は、フレーム溝２３２における支持部２３２ａと支持部２３２ｂにより支持されるとともに、コイルバネ６０の復元力が働く方向においては、支持部２４２により支持されている。これにより、プラテンローラ２０をフレーム溝２３２から抜けることなく、所定の位置となるように設置することができる。
【００５４】
リリースレバー２４０には、図２２に示されるような、プラテンローラ２０を押し上げるプラテンローラ押し上げ部材２７０が設けられている。プラテンローラ押し上げ部材２７０は、回転軸２７１を中心に回転するようにフレーム２３０に接続されている。
【００５５】
図２３に示すように、レバーキャップ２４５を押し下げることにより、レバー側面２４１の支持部２４２が動き、フレーム溝２３２のコイルバネ６０の復元力の働く方向が解放される。これに伴い、プラテンローラ押し上げ部材２７０が回転軸２７１を中心に回転（図２３では時計方向に回転）し、プラテンローラ２０を押し上げる。これにより、容易にプラテンローラ２０を容易に取り外すことができる。
【００５６】
尚、上記以外の内容については、第１の実施の形態と同様である。
【００５７】
〔第４の実施の形態〕
次に、第４の実施の形態について説明する。本実施の形態は、リリースレバーがフレームに対してスライドして動く構造のものである。本実施の形態におけるプリンタ装置について、図２４から図３０に基づき説明する。
【００５８】
フレーム３３０は両側にフレーム側面３３１を有しており、図２４及び図２５に示されるように、フレーム側面３３１にはプラテンローラ２０を設置するためのフレーム溝３３２が設けられている。また、フレーム側面３３１には、２つの突起部３３５ａ、３３５ｂが設けられている。
【００５９】
リリースレバー３４０は、両側にレバー側面３４１を有しており、図２６に示されるように、レバー側面３４１にはプラテンローラ２０を支持するための支持部３４２が設けられている。また、リリースレバー３４０におけるレバー側面３４１には、フレーム側面３３１における２つの突起部３３５ａ、３３５ｂに対応した細長い開口部３４６ａ、３４６ｂが設けられている。
【００６０】
本実施の形態におけるプリンタ装置においては、プラテンキャップ２３がフレーム側面３３１におけるフレーム溝３３２に入れられ、リリースレバー３４０のレバー側面３４１に設けられた支持部３４２により、所定の位置に回転可能な状態でプラテンローラ２０が設置されている。
【００６１】
本実施の形態においては、フレーム側面３３１における突起部３３５ａは、リリースレバー３４０における開口部３４６ａに入っており、開口部３４６ａ内を自由に移動することができる。同様に、フレーム側面３３１における突起部３３５ｂは、リリースレバー３４０における開口部３４６ｂに入っており、リリースレバー３４０における開口部３４６ｂ内を自由に移動することができる。
【００６２】
本実施の形態におけるプリンタ装置においては、フレーム３３０に対し、リリースレバー３４０をスライドして図示上下方向に移動させることができる。本実施の形態においては、リリースレバー３４０は、不図示のコイルバネの復元力の働く方向に対し垂直方向にスライドさせるものであることが好ましい。リリースレバー３４０のスライド操作は、操作部に被せられたレバーキャップ３４５を押し下げることにより行うことができる。
【００６３】
本実施の形態においては、リリースレバー３４０におけるレバー側面３４１の内側には、突起３４７が設けられている。また、フレーム溝３３２の内側の縁には、図２８、図２９等に示される板バネ３３７が設けられており、板バネ３３７の端部３３７ａは折り曲げられている。
【００６４】
本実施の形態におけるプリンタ装置においては、図２９の状態でレバーキャップ３４５を押し下げることにより、図３０に示すようにリリースレバー３４０がフレーム３３０に対してスライドして動き、フレーム溝３３２のバネの復元力の働く方向が解放される。これに伴い、リリースレバー３４０に設けられている突起３４７が板バネ３３７の端部３３７ａを押し下げ、板バネ３３７が伸び、フレーム溝３３２に入れられているプラテンローラ２０を板バネ３３７により押し出すことができる。これにより、フレーム溝３３２よりプラテンローラ２０を容易に取り外すことができる。
【００６５】
尚、上記以外の内容については、第２の実施の形態と同様である。
【００６６】
〔第５の実施の形態〕
次に、第５の実施の形態について、図３１及び図３２に基づき説明する。本実施の形態は、第１の実施の形態におけるプリンタ装置のリリースレバー４０に、プラテンローラ２０のプラテンキャップ２３を挟んで支持部４２と対向する位置に押出部４４２を設けた構造のプリンタ装置である。即ち、レバー溝４２０を形成している縁の一方の側に支持部４２が形成されており、他方の側に押出部４４２が形成されている。
【００６７】
図３１に示されるように、プラテンキャップ２３は、支持部４２と押出部４４２との間のレバー溝４２０に設置されている。
【００６８】
プラテンローラ２０を外す際には、図３１の状態でリリースレバー４０におけるレバーキャップ４５を押し下げることにより、図３２に示すようにプラテンキャップ２３が押出部４４２により押されて、プラテンローラ２０を取り外すことができる。
【００６９】
尚、上記以外の内容については、第１の実施の形態と同様である。
【００７０】
以上、本発明の実施に係る形態について説明したが、上記内容は、発明の内容を限定するものではない。
【符号の説明】
【００７１】
１０        サーマルヘッド
２０        プラテンローラ
２１        ローラ部
２２        プラテンシャフト
２３        プラテンキャップ
２４        ギア
３０        フレーム
３１        フレーム側面
３２        フレーム溝
３２ａ      支持部
３２ｂ      支持部
３３        開口穴
４０        リリースレバー
４１        レバー側面
４２        支持部
４３        レバー操作部
４５        レバーキャップ
４６        レバー溝
５１        回転軸部
５２        ねじりコイルバネ
５２ａ      一方の端部
５２ｂ      他方の端部
６０        コイルバネ
【図１】
2016016566.tif 000003
【図２】
2016016566.tif 000004
【図３】
2016016566.tif 000005
【図４】
2016016566.tif 000006
【図５】
2016016566.tif 000007
【図６】
2016016566.tif 000008
【図７】
2016016566.tif 000009
【図８】
2016016566.tif 000010
【図９】
2016016566.tif 000011
【図１０】
2016016566.tif 000012
【図１１】
2016016566.tif 000013
【図１２】
2016016566.tif 000014
【図１３】
2016016566.tif 000015
【図１４】
2016016566.tif 000016
【図１５】
2016016566.tif 000017
【図１６】
2016016566.tif 000018
【図１７】
2016016566.tif 000019
【図１８】
2016016566.tif 000020
【図１９】
2016016566.tif 000021
【図２０】
2016016566.tif 000022
【図２１】
2016016566.tif 000023
【図２２】
2016016566.tif 000024
【図２３】
2016016566.tif 000025
【図２４】
2016016566.tif 000026
【図２５】
2016016566.tif 000027
【図２６】
2016016566.tif 000028
【図２７】
2016016566.tif 000029
【図２８】
2016016566.tif 000030
【図２９】
2016016566.tif 000031
【図３０】
2016016566.tif 000032
【図３１】
2016016566.tif 000033
【図３２】
2016016566.tif 000034